(57)【要約】【課題】外壁縦目地を上下方向に複数本の縦目地ガスケットで止水する場合に、水が、上下の縦目地ガスケット間を通じて屋内側に侵入するのをしっかりと阻止でき、しかも、それを施工容易に実現できる外壁目地の止水構造を提供する。【解決手段】外壁縦目地８に階下縦目地ガスケット７と階間縦目地ガスケット８とが嵌め込まれると共に、階下縦目地ガスケット７の上端部に、階間縦目地ガスケット８の下端部の背面側を立ち上がる止水用の立ち上がり部７ｃが備えられ、該立ち上がり部７ｃと階間縦目地ガスケット８の下端部との間に、屋外側から上下の縦目地ガスケット７，８間を通じて侵入した水が毛細管現象により上昇するのを阻止するクリアランス１５が設けられ、該クリアランス１５は止水材からなる間隔保持材１０で形成されている。【選択図】      図１
2010222889.tif 000002
【特許請求の範囲】
【請求項１】
外壁縦目地に下縦目地ガスケットと上縦目地ガスケットとが嵌め込まれると共に、下縦目地ガスケットの上端部に、上縦目地ガスケットの下端部の背面側を立ち上がる止水用の立ち上がり部が備えられ、
該止水用立ち上がり部と上縦目地ガスケットの下端部との間に、屋外側から上下の縦目地ガスケット間を通じて侵入した水が毛細管現象により上昇するのを阻止するクリアランスが設けられると共に、
前記止水用立ち上がり部と上縦目地ガスケットの下端部との間に、前記クリアランス部分の上方において、該クリアランスを形成するための間隔保持材が設けられていることを特徴とする外壁目地の止水構造。
【請求項２】
前記間隔保持材が、止水用立ち上がり部と上縦目地ガスケットの下端部との間を止水する止水材からなる請求項１に記載の外壁目地の止水構造。
【請求項３】
前記上下の縦目地ガスケットはそれぞれ、複数のヒレを屋内外方向に間隔をおいて上下方向に延びるように備え、該ヒレ間に形成される排水通路を屋内外方向に少なくとも１つ備えたものからなり、
上縦目地ガスケットの排水通路の下端開口部と、下縦目地ガスケットの排水通路の上端開口部とは向き合わされ、上縦目地ガスケットの排水通路を流れ落ちる水が下縦目地ガスケットの排水通路に送り込まれて排水されるようになされていると共に、
前記立ち上がり部には下縦目地ガスケット本体部の排水通路と連通する屋内外方向に少なくとも１つの排水通路が備えられていて、該排水通路が上下の縦目地ガスケット間の背後を上下方向に延ばされている請求項１乃至２のいずれか一に記載の外壁目地の止水構造。
【請求項４】
前記下縦目地ガスケットが、外壁目地の十字状交差部を挟む下側の縦目地に嵌め込まれると共に、前記上縦目地ガスケットが、該十字状交差部を挟む上側の縦目地に嵌め込まれ、かつ、上下の縦目地ガスケット間が、前記十字状交差部を左右方向に貫く乾式の横目地材によって屋外側からカバーされている請求項１乃至３のいずれか一に記載の外壁目地の止水構造。
【発明の詳細な説明】
【技術分野】
【０００１】
本発明は、外壁目地の止水構造に関する。
【背景技術】
【０００２】
外壁縦目地を上下方向に複数本の縦目地ガスケットで止水する場合は、水が、上下の縦目地ガスケット間を通じて屋内側に侵入しないような措置を講じておく必要がある。
【先行技術文献】
【特許文献】
【０００３】
【特許文献１】特開平１０−１２１６２０号公報
【発明の開示】
【発明が解決しようとする課題】
【０００４】
本発明は、上記のような要請に鑑みてなされたものであって、外壁縦目地を上下方向に複数本の縦目地ガスケットで止水する場合に、水が、上下の縦目地ガスケット間を通じて屋内側に侵入するのをしっかりと阻止することができ、しかも、それを施工容易に実現することができる外壁目地の止水構造を提供することを課題とする。
【課題を解決するための手段】
【０００５】
上記の課題は、外壁縦目地に下縦目地ガスケットと上縦目地ガスケットとが嵌め込まれると共に、下縦目地ガスケットの上端部に、上縦目地ガスケットの下端部の背面側を立ち上がる止水用の立ち上がり部が備えられ、
該止水用立ち上がり部と上縦目地ガスケットの下端部との間に、屋外側から上下の縦目地ガスケット間を通じて侵入した水が毛細管現象により上昇するのを阻止するクリアランスが設けられると共に、
前記止水用立ち上がり部と上縦目地ガスケットの下端部との間に、前記クリアランス部分の上方において、該クリアランスを形成するための間隔保持材が設けられていることを特徴とする外壁目地の止水構造によって解決される（第１発明）。
【０００６】
この構造では、下縦目地ガスケットの上端部に、上縦目地ガスケットの下端部の背面側を立ち上がる止水用の立ち上がり部が備えられているので、上下の縦目地ガスケット間を通じて屋内側に侵入しようとする水は、止水用立ち上がり部によってせき止められ、屋内側への水の侵入を阻止される。
【０００７】
しかも、止水用立ち上がり部と上縦目地ガスケットの下端部との間には、それらの間を毛細管現象によって上昇しようとするのを阻止するクリアランスが設けられているので、このクリアランスによって、毛細管現象による水の上昇が阻止されて、屋内側への水の侵入阻止をより確実なものにすることができる。
【０００８】
加えて、止水用立ち上がり部と上縦目地ガスケットの下端部との間には、クリアランス部分の上方において、該クリアランスを形成するための間隔保持材が設けられているので、下縦目地ガスケットを外壁目地に嵌め込んだ後、上縦目地ガスケットを嵌め込んでいくと、止水用立ち上がり部と上縦目地ガスケットの下端部との間に間隔保持材が挟み込まれて止水用立ち上がり部と上縦目地ガスケットとの間に上記のクリアランスが形成され、クリアランスの形成と、外壁縦目地への上下の縦目地ガスケットの嵌め込み作業を、施工容易に行っていくことができる。
【０００９】
第１発明において、前記間隔保持材が、止水用立ち上がり部と上縦目地ガスケットの下端部との間を止水する止水材からなっているとよい（第２発明）。この場合は、前記クリアランス部分を毛細管現象以外の理由で上昇して止水用立ち上がり部を越えて屋内側に侵入しようとする水を、止水材からなる前記間隔保持材で阻止することができ、より一層しっかりとした止水状態を形成することができる。
【００１０】
第１，第２発明において、前記上下の縦目地ガスケットはそれぞれ、複数のヒレを屋内外方向に間隔をおいて上下方向に延びるように備え、該ヒレ間に形成される排水通路を屋内外方向に少なくとも１つ備えたものからなり、
上縦目地ガスケットの排水通路の下端開口部と、下縦目地ガスケットの排水通路の上端開口部とは向き合わされ、上縦目地ガスケットの排水通路を流れ落ちる水が下縦目地ガスケットの排水通路に送り込まれて排水されるようになされていると共に、
前記立ち上がり部には下縦目地ガスケット本体部の排水通路と連通する屋内外方向に少なくとも１つの排水通路が備えられていて、該排水通路が上下の縦目地ガスケット間の背後を上下方向に延ばされているとよい（第３発明）。
【００１１】
この場合は、上縦目地ガスケットの排水通路の下端開口部と、下縦目地ガスケットの排水通路の上端開口部とが、上下方向において向き合わされ、上縦目地ガスケットの排水通路を流れ落ちる水が下縦目地ガスケットの排水通路に送り込まれて排水されるようになされているので、上縦目地ガスケットの排水通路に水が万一侵入した場合の、その水の処理のための構造を、下縦目地ガスケットの排水通路を利用して簡素なものにすることができ、排水で外壁面を汚すこともない。
【００１２】
しかも、止水用立ち上がり部に、下縦目地ガスケット本体部の排水通路と連通する屋内外方向に少なくとも１つの排水通路が備えられているので、立ち上がり部の排水通路に水が万一侵入した場合の、その水の処理のための構造も、下縦目地ガスケット本体部の排水通路を利用して簡素なものにすることができる。
【００１３】
第１〜第３発明において、前記下縦目地ガスケットが、外壁目地の十字状交差部を挟む下側の縦目地に嵌め込まれると共に、前記上縦目地ガスケットが、該十字状交差部を挟む上側の縦目地に嵌め込まれ、かつ、上下の縦目地ガスケット間が、前記十字状交差部を左右方向に貫く乾式の横目地材によって屋外側からカバーされているのもよい（第４発明）。
【００１４】
この場合は、上下の縦目地ガスケット間は、外壁目地の十字状交差部を左右方向に貫く乾式の横目地材によって屋外側からカバーされているので、外壁面の意匠性を良好なものにすることができる。
【００１５】
しかも、上下の縦目地ガスケットと、十字状交差部を貫く乾式の横目地材とを備えるだけの簡素な構造であって、構成部品点数が少なく、施工も、十字状交差部を挟む下側縦目地への下縦目地ガスケットの嵌め込みと、十字状交差部を挟む上側縦目地への上縦目地ガスケットの嵌め込みとを行った後、乾式の横目地材を十字状交差部を貫くように横目地に設置すればよくて、外壁目地の十字状交差部の止水をしっかりとしたものにすることができると共に、その施工を容易にすることができる。
【発明の効果】
【００１６】
本発明の外壁目地の止水構造は、以上のとおりのものであるから、外壁縦目地を上下方向に複数の縦目地ガスケットで止水する場合に、水が、上下の縦目地ガスケット間を通じて屋内側に侵入するのをしっかりと阻止することができ、しかも、それを施工容易に実現することができる。
【図面の簡単な説明】
【００１７】
【図１】実施形態の外壁目地の十字状交差部における止水構造を示すもので、図（イ）は正面図、図（ロ）は側面図である。
【図２】階下、階間、階上の各縦目地ガスケット及び横目地材を分離状態にして示す側面図である。
【図３】図（イ）〜図（ハ）は施工方法を順次に示す側面図である。
【図４】図（イ）〜図（ハ）は施工方法を順次に示す正面図である。
【発明を実施するための形態】
【００１８】
次に、本発明の実施形態を図面に基づいて説明する。
【００１９】
図１〜図４に示す実施形態は、建物の階間部の縦目地４に適用した場合のもので、図１（イ）において、１，１は階下の外装パネル、２，２は階間の外装パネル、３，３は階上の外装パネルであり、これらパネル１，２，３間の縦目地４と横目地５，５とによって、外壁目地の十字状交差部６が上下に備えられている。
【００２０】
図１（イ）（ロ）において、７は階下縦目地ガスケットで、階下外装パネル１，１間の縦目地４ａに嵌め込まれて該縦目地４ａを止水しており、８は階間縦目地ガスケットで、階間外装パネル２，２間の縦目地４ｂに嵌め込まれて該縦目地４ｂを止水しており、９は階上縦目地ガスケットで、階上外装面材３，３間に縦目地４ｃに嵌め込まれて該縦目地４ｃを止水している。
【００２１】
階下縦目地ガスケット７は、図２に示すように、４つのヒレ７ａ…を屋内外方向に間隔をおいて上下方向に延びるように備え、該ヒレ７ａ…間に形成される排水通路７ｂを屋内外方向に３つ備えたものからなっており、
階上縦目地ガスケット９も、同様に４つのヒレ９ａ…を屋内外方向に間隔をおいて上下方向に延びるように備え、該ヒレ９ａ…間に形成される排水通路９ｂを屋内外方向に３つ備えたものからなっている。
【００２２】
また、階間の縦目地ガスケット８は、下部側において、２つのヒレ８ａ…を屋内外方向に間隔をおいて上下方向に延びるように備えて該ヒレ８ａ…間に形成される排水通路８ｂを屋内外方向に１つ備えると共に、上部側において、３つのヒレ８ａ…を屋内外方向に間隔をおいて上下方向に延びるように備えて該ヒレ８ａ…間に形成される排水通路８ｂを屋内外方向に２つ備え、上部側の２つの排水通路８ｂ，８ｂが合流して下部側の１つの排水通路８ｂと連通するようになされている。なお、上部側の屋内側に位置する排水通路８ｂは、該通路を流下する水が下部側の排水通路８ｂにスムーズに合流できるよう傾斜をつけられている。
【００２３】
そして、図１（ロ）に示すように、階間の縦目地ガスケット８の排水通路８ｂの下端開口部と、階下縦目地ガスケット７の最屋外側の排水通路７ｂの上端開口部とは、向き合わされ、階間縦目地ガスケット８の排水通路８ｂを流れ落ちる水が階下縦目地ガスケット７の最屋外側の排水通路７ｂに送り込まれて排水されるようになされている。
【００２４】
そして、階下の縦目地ガスケット７の上端部には、階間縦目地ガスケット８の下端部の背面側を立ち上がる止水用の立ち上がり部７ｃが備えられ、該立ち上がり部７ｃには階下縦目地ガスケット本体部７ｄの最屋内側の排水通路７ｂと連通する１つの排水通路７ｂが備えられ、階下と階間の縦目地ガスケット７，８間を通じて侵入しようとする水を立ち上がり部７ｃによってせき止めて、これら縦目地ガスケット７，８間が止水されるようになされていると共に、
該立ち上がり部７ｃと階間縦目地ガスケット８の下端部との間には、屋外側から階間、階下の縦目地ガスケット７，８間を通じて侵入した水が毛細管現象により上昇するのを阻止するクリアランス１５が設けられている。該クリアランス１５の寸法は、例えば３ｍｍ以上に設定されているとよい。
【００２５】
更に、該立ち上がり部７ｃと階間縦目地ガスケット８の下端部との間には、上記のクリアランス部分１５の上方において、該クリアランス１５を形成するための間隔保持材１０が設けられている。本実施形態では、この間隔保持材１０が、立ち上がり部７ｃと階間縦目地ガスケット８の下端部との間を止水する止水材からなっている。該止水材１０は、例えば独立気泡のスポンジ状をした止水材などからなり、階間縦目地ガスケット８の側に接着して備えられているものである。
【００２６】
また、階上縦目地ガスケット９の最屋外側の排水通路９ｂの下端開口部と、階間縦目地ガスケット８の最屋外側の排水通路８ｂの上端開口部とについても、互いに向き合わされ、階上縦目地ガスケット９の最屋外側の排水通路９ｂを流れ落ちる水が階間縦目地ガスケット８の最屋外側の排水通路８ｂに送り込まれて排水されるようになされている。
【００２７】
そして、階間の縦目地ガスケット８の上端部には、階上縦目地ガスケット９の下端部の背面側を立ち上がる立ち上がり部８ｃが備えられ、該立ち上がり部８ｃには階間縦目地ガスケット本体部８ｄの最屋内側の排水通路８ｂと連通する１つの排水通路８ｂが備えられ、階間と階上の縦目地ガスケット８，９間を通じて侵入しようとする水を立ち上がり部８ｃによってせき止めて、これら縦目地ガスケット８，９間が止水されるようになされていると共に、
該立ち上がり部８ｃと階上縦目地ガスケット９の下端部との間にも、屋外側から階上、階間の縦目地ガスケット８，９間を通じて侵入した水が毛細管現象により上昇するのを阻止するクリアランス１５が設けられている。該クリアランス１５の寸法も、例えば３ｍｍ以上に設定されているとよい。
【００２８】
更に、該立ち上がり部８ｃと階上縦目地ガスケット９の下端部との間には、上記のクリアランス部分１５の上方において、該クリアランス１５を形成するための間隔保持材１１が設けられている。この間隔保持材１１も、立ち上がり部８ｃと階上縦目地ガスケット９の下端部との間を止水する止水材からなり、階間縦目地ガスケット８の側に接着して備えられている。８ｅは補強用のリブで、止水材１１をしっかりとした圧縮状態にするものである。
【００２９】
なお、本実施形態では、階上の縦目地ガスケット９の下端部は、その屋内側が切り欠かれていて、該下端部では、排水通路９ｂが屋内外方向において１つとなっていて、切欠き部９ｃ内を、階間の縦目地ガスケット８の上端立ち上がり部８ｃが立ち上がる構造となっている。
【００３０】
１２，１２は上下の乾式横目地材であり、各横目地材１２は、外壁目地の十字状交差部６を左右方向に貫くように備えられていて、これら乾式横目地材１２，１２によって、階下の縦目地ガスケット７と階間の縦目地ガスケット８との間、及び、階間の縦目地ガスケット８と階上の縦目地ガスケット９との間が屋外側からカバーされて隠されている。
【００３１】
各横目地材１２は、図示するように、上水平板部１２ａと屋外側垂れ下がりカバー部１２ｂとによるＬ状形の目地材からなっていて、そのような形態の乾式横目地材を採用する場合は、階上縦目地ガスケット９の排水通路９ｂを流れ落ちる水が階間縦目地ガスケット８の排水通路８ｂに送り込まれるのを妨げず、また、階間縦目地ガスケット８の排水通路８ｂを流れ落ちる水が階下縦目地ガスケット７の排水通路７ｂに送り込まれるのを妨げないよう、屋外側垂れ下がりカバー部１２ｂが左右方向に連続して十字状交差部を貫通すると共に、上水平板部１２ａの部分には図示しないが十字状交差部６において水の流れを許容する切欠きや開口が設けられた形態のものを採用するようにするとよい。
【００３２】
施工は、図３（イ）及び図４（イ）に示すように、階下縦目地ガスケット７を屋外側から階下の外装パネル１，１間の縦目地４ａに嵌め込み、次いで、図３（ロ）及び図４（ロ）に示すように、階間縦目地ガスケット８を屋外側から階間の外装パネル２，２間の縦目地４ｂに嵌め込む。それにより、乾式の止水材１０は、階下縦目地ガスケット７の上端立ち上がり部７ｃの正面側に押し付けられて圧縮状態となり、立ち上がり部７ｃと階間縦目地ガスケット８の下端部との間にクリアランス１５が形成される。次いで、図３（ハ）及び図４（ハ）に示すように、階上縦目地ガスケット９を屋外側から階上の外装パネル３，３間の縦目地４ｃに嵌め込む。それにより、乾式の止水材１１は、階上縦目地ガスケット９の下端切欠き部９ｃ内の垂直な背面部が押し付けられて圧縮状態となり、立ち上がり部８ｃと階上縦目地ガスケット９の下端部との間にもクリアランス１５が形成される。しかる後、上下の乾式横目地材１２，１２を屋外側から上下の横目地５，５に嵌め込む、というようにして行えばよい。
【００３３】
なお、上の説明から明らかなように、下側の十字状目地交差部６に対しては、階下縦目地ガスケット７が下縦目地ガスケットを構成すると共に、階間縦目地ガスケット８が上縦目地ガスケットを構成し、また、上側の十字状目地交差部６に対しては、階間縦目地ガスケット８が下縦目地ガスケットを構成すると共に、階上縦目地ガスケット９が上縦目地ガスケットを構成していることはいうまでもない。
【００３４】
上記の構造によれば、階下縦目地ガスケット７の上端部に、階間縦目地ガスケット８の下端部の背面側を立ち上がる止水用の立ち上がり部７ｃが備えられ、階間縦目地ガスケット８の上端部に、階上縦目地ガスケット９の下端部の背面側を立ち上がる止水用の立ち上がり部８ｃが備えられているので、階下、階間の縦目地ガスケット７，８間、及び、階間、階上の縦目地ガスケット８，９間を通じて屋内側に侵入しようとする水は、立ち上がり部７ｃ，８ｃによってせき止められ、屋内側への水の侵入を阻止することができる。
【００３５】
しかも、階下縦目地ガスケット７の立ち上がり部７ｃと階間縦目地ガスケット８の下端部との間、及び、階間縦目地ガスケット８の立ち上がり部８ｃと階上縦目地ガスケット９の下端部との間には、それらの間を毛細管現象によって上昇しようとするのを阻止するクリアランス１５，１５が設けられているので、このクリアランス１５，１５によって、毛細管現象による水の上昇が阻止されて、屋内側への水の侵入阻止をより確実なものにすることができる。
【００３６】
加えて、上記のクリアランス１５，１５を形成するために間隔保持材１０，１１が備えられているので、縦目地ガスケット７，８，９の嵌め込みを行っていくだけで、該クリアランス１５，１５を形成することができて、施工を容易にすることができる。
【００３７】
更に、間隔保持材１０，１１は、階下縦目地ガスケット７の立ち上がり部７ｃと階間縦目地ガスケット８の下端部との間、及び、階間縦目地ガスケット８の立ち上がり部８ｃと階上縦目地ガスケット９の下端部との間を止水する止水材からなっているので、クリアランス部分１５，１５を毛細管現象以外の理由で上昇して立ち上がり部７ｃ，８ｃを越えて屋内側に侵入しようとする水を、止水材からなる間隔保持材１０，１１で阻止することができ、より一層しっかりとした止水状態を形成することができる。
【００３８】
また、階上縦目地ガスケット９の排水通路９ｂの下端開口部と、階間縦目地ガスケット８の排水通路８ｂの上端開口部とが、上下方向において向き合わされ、階上縦目地ガスケット９の排水通路９ｂを流れ落ちる水が階間縦目地ガスケット８の排水通路８ｂに送り込まれて排水されるようになされていると共に、階間縦目地ガスケット８の排水通路８ｂの下端開口部と、階下縦目地ガスケット７の排水通路７ｂの上端開口部とが、上下方向において向き合わされ、階間縦目地ガスケット８の排水通路８ｂを流れ落ちる水が階下縦目地ガスケット７の排水通路７ｂに送り込まれて排水されるようになされているので、階上や階間の縦目地ガスケット８，９の排水通路８ｂ，９ｂに水が万一侵入した場合の、その水の処理のための構造を、階間、階下の縦目地ガスケット７，８の排水通路７ｂ，８ｂを利用して簡素なものにすることができ、排水で外壁面を汚すこともない。
【００３９】
しかも、各立ち上がり部７ｃ，８ｃには、ガスケット本体部７ｄ，８ｄの排水通路７ｂ，８ｂと連通する排水通路７ｂ，８ｂが備えられているので、立ち上がり部７ｃ，８ｃの排水通路７ｂ，８ｂに水が万一侵入した場合の、その水の処理のための構造も、ガスケット本体部７ｄ，８ｄの排水通路７ｂ，８ｂを利用して簡素なものにすることができる。
【００４０】
また、階下縦目地ガスケット７と階間縦目地ガスケット８との間、及び、階間縦目地ガスケット８と階上縦目地ガスケット９との間は、外壁目地の十字状交差部６，６を左右方向に貫く乾式の横目地材１２，１２によって屋外側からカバーされているので、外壁面の意匠性を良好なものにすることができる。
【００４１】
しかも、階下、階間、階上の縦目地ガスケット７，８，９と、十字状交差部６，６を貫く乾式の横目地材１２，１２とを備えるだけの簡素な構造であって、構成部品点数が少なく、施工も、各十字状交差部６を挟む上下の縦目地への３本の縦目地ガスケット７，８，９の嵌め込みを行った後、乾式の横目地材１２，１２を十字状交差部６を貫くように横目地に設置すればよくて、外壁目地の各十字状交差部６の止水をしっかりとしたものにすることができると共に、その施工を容易にすることができる。
【００４２】
以上に、本発明の実施形態を示したが、本発明はこれに限られるものではなく、発明思想を逸脱しない範囲で各種の変更が可能である。例えば、上記の実施形態では、各縦目地ガスケット７，８，９が、ヒレ式でそれらの間に排水通路を備えたものからなっている場合を示したが、第１，第２，第４発明では、各縦目地ガスケットとして、そのような排水通路の備えられていない縦目地ガスケットが用いられてもよい。
【００４３】
また、上記の実施形態では、乾式横目地材１２，１２としてＬ型の特定構造のものを採用した場合を示したが、各種形態のものが採用されてもよい。
【００４４】
更に、上記の実施形態では、階間において上下方向に２つの十字状交差部６，６が備えられている外壁目地に適用した場合を示したが、階間において上下方向に１つの十字状交差部が備えられている外壁目地に適用することも可能であるし、階間に限らず、十字状交差部が備えられている各所の外壁目地に適用することも可能であるし、第１〜第３発明では、横目地と交差しない縦目地に適用することも可能である。
【符号の説明】
【００４５】
４…縦目地
４ａ…階下の縦目地
４ｂ…階間の縦目地
４ｃ…階上の縦目地
５…横目地
６…十字状交差部
７…階下の縦目地ガスケット
７ａ…ヒレ
７ｂ…排水通路
７ｃ…立ち上がり部
７ｄ…ガスケット本体部
８…階間の縦目地ガスケット
８ａ…ヒレ
８ｂ…排水通路
８ｃ…立ち上がり部
８ｄ…ガスケット本体部
９…階上の縦目地ガスケット
９ａ…ヒレ
９ｂ…排水通路
１０…乾式止水材（間隔保持材）
１１…乾式止水材（間隔保持材）
１２…乾式横目地材
１５…クリアランス
【図１】
2010222889.tif 000003
【図２】
2010222889.tif 000004
【図３】
2010222889.tif 000005
【図４】
2010222889.tif 000006